(57)【要約】【課題】  小さな操作力で嵌合操作が行われ、雌型接続子と雄型接続子とが確実に接続されるようにする。【解決手段】  雌型コネクタ体６において接続端子片１３、１４の接続凸部１３ｃ、１４ｃが第１嵌合ブック口１０ａ乃至第３嵌合ブロック口１０ｃで雄型コネクタ体７の嵌合方向に対して異なる位置に形成したことにより、接続端子片１３、１４の弾性力による反力の分散化が図られるので、雄型コネクタ体７を比較的小さな操作力で嵌合させることを可能とする。【選択図】  図２
2005293972.tif 000002
【特許請求の範囲】
【請求項１】
嵌合口に臨んで多数個の雌型接続子を配列して設けた雌型コネクタ体と、嵌合凸部に前記各雌型接続子にそれぞれ対応して多数個の雄型接続子を配列して設けた雄型コネクタ体とを備え、前記雌型コネクタ体と前記雄型コネクタ体とが、前記嵌合口に前記嵌合凸部を嵌合することによって前記各雌型接続子と相対する前記各雄型接続子との接続が行われる多極コネクタ装置において、
前記雌型コネクタ体の前記各雌型接続子が、前記嵌合口内において少なくとも３つの領域に区割りした嵌合ブロック部に配列して設けられるとともに、隣り合う嵌合ブロック部毎に前記雄型接続子との接続位置を前記嵌合口に対する前記嵌合凸部の嵌合方向に対して異にして形成されることを特徴とする多極コネクタ装置。
【請求項２】
前記嵌合ブロック部が、横方向に隣り合って区割りされた第１嵌合ブロック部乃至第３嵌合ブロック部とから構成され、前記嵌合口に対する前記嵌合凸部の嵌合方向に対して、両側の第１嵌合ブロック部に配列した第１雌型接続子と第３嵌合ブロック部に配列した第３雌型接続子とが相対する前記雄型接続子と互いに略同一位置でそれぞれ接続されるとともに、中央の第２嵌合ブロック部に配列した第２雌型接続子が相対する前記雄型接続子と異なる位置で接続されることを特徴とする請求項１に記載の多極コネクタ装置。
【請求項３】
前記第１嵌合ブロック部乃至前記第３嵌合ブロック部が前記嵌合口内において互いに隔壁によって区割りされるとともに、前記雄型コネクタ体が前記嵌合凸部を前記各隔壁がそれぞれ嵌合する切欠き溝によって第１嵌合ブロック凸部乃至前記第３嵌合ブロック凸部に区割りされることを特徴とする請求項２に記載の多極コネクタ装置。
【請求項４】
前記各雌型接続子が、それぞれ弾性金属片によって形成され、前記嵌合口内に互いに平行に対峙して片持ち状態で配列されるとともに、相対する位置に互いに向かい合って接点凸部が一体に形成された一対の接続端子片によって構成され、
前記各雄型接続子が、前記嵌合凸部を構成する基板の表裏主面に、一対の前記接続端子片とそれぞれ相対して形成された導体パターンによって構成され、
前記各接続端子片が、前記嵌合口に嵌合された前記基板を挟み込んで保持するとともにそれぞれの前記接点凸部が相対する前記導体パターンと接続されることを特徴とする請求項１乃至請求項３のいずれか１項に記載の多極コネクタ装置。
【請求項５】
前記第１嵌合ブロック部と前記第３嵌合ブロック部に設けられる前記各接続端子片と前記第２嵌合ブロック部に設けられる前記各接続端子片とが前記接点凸部の位置を異にして形成されることによって、前記雄型接続子と異なる位置で接続されることを特徴とする請求項４に記載の多極コネクタ装置。
【請求項６】
前記雌型コネクタ体が、一側部に前記嵌合口が形成されたハウジングと、表裏主面に同一形状の前記接続端子片を組み付けて前記ハウジングに取り付けられる第１端子ブロック体乃至第３端子ブロック体とを備え、
前記ハウジングに対して、両側の前記第１端子ブロック体及び前記第３端子ブロック体と中央部の前記第２端子ブロック体とが取付位置を異にされることによって、前記雄型接続子と異なる位置で接続されることを特徴とする請求項４に記載の多極コネクタ装置。
【発明の詳細な説明】
【技術分野】
【０００１】
本発明は、各種の電子機器に搭載されて機器本体と例えば電気部品、機能部品或いはオプション機器等の接続装置とを電気的かつ機械的に接続する多極コネクタ装置に関する。
【背景技術】
【０００２】
コネクタ装置は、一般に嵌合口に臨んで雌型接続子を配列して設けた雌型コネクタ体と、嵌合凸部に雌型接続子にそれぞれ対応して雄型接続子を配列して設けた雄型コネクタ体とを備える。コネクタ装置は、例えば機器本体側に雌型コネクタ体が設けられるとともに接続機器側に雄型コネクタ体が設けられ、機器本体に設けたスロット等に接続機器を装着することにより、嵌合口に嵌合凸部が嵌合して機器本体に対して接続機器を電気的かつ機械的に接続する。
【０００３】
コネクタ装置は、雌型コネクタ体が、嵌合口内に互いに平行に対峙して片持ち状態で設けた弾性金属片によって雌型接続子を構成している。また、コネクタ装置は、雄型コネクタ体が、基板の表裏主面に雌型コネクタ体側の雌型接続子とそれぞれ対応して形成した導体パターンによって雄型接続子を構成している。コネクタ装置は、雌型コネクタ体の嵌合口内に雄型コネクタ体の嵌合凸部を嵌合することにより、弾性変位された雌型接続子が基板を挟み込んで導体パターンに圧着する。
【０００４】
ところで、コネクタ装置においては、電子機器の複合化、多機能化に伴ってオプション機器等との間で様々な電気的信号等の授受が行われることから、多数個の雌型接続子と多数個の雄型接続子とを有して多極化が図られている。多極コネクタ装置については、例えば特許文献１乃至特許文献３に開示されている。
【特許文献１】特開平６−６０９３３号公報。
【特許文献２】特開平８−１７１９６８号公報。
【特許文献３】特開平１１−１４９９６１号公報。
【発明の開示】
【発明が解決しようとする課題】
【０００５】
ところで、コネクタ装置においては、電子機器の嵌合口に対して接続機器側の嵌合凸部を嵌合する際に、雌型接続子を弾性変位させて相対する雄型接続子との接続を行うことから雌型接続子の反力が嵌合凸部に作用される。したがって、多極コネクタ装置においては、多数個の雌型接続子を備えることからこれら雌型接続子側からの反力が大きくなり、嵌合口に対して強い力で嵌合凸部を押し込まなければならなかった。多極コネクタ装置においては、このために嵌合口に対して嵌合凸部が所定位置まで押し込まれずに、電子機器と接続機器とが接続不良を生じることがあった。また、多極コネクタ装置においては、嵌合口に対して嵌合凸部をこじ入れるようにして嵌合することにより、雌型接続子に変形や折れ曲がり等が発生することがあった。
【０００６】
多極コネクタ装置においては、例えば雌型コネクタ体のハウジングに対して隣り合う雌型接続子が雄型接続子との接続位置を嵌合方向に対して異にするようにして組み付けて構成することにより、嵌合凸部の嵌合力を低減するようにした対応も図られている。しかしながら、かかる多極コネクタ装置においては、形状を異にする２種類の雌型接続子を備えることにより２個取りの高価な端子形成金型が必要となり、コストがアップしてしまう。また、多極コネクタ装置においては、ハウジングに対して２種類の雌型接続子を交互に組み付ける作業が面倒となるとともに治具も複雑となりコストアップとなってしまう。
【０００７】
したがって、本発明は、嵌合力を低減して嵌合口に嵌合凸部が嵌合されるようにして雌型接続子と雄型接続子とが確実に接続されるようにする構造簡易でコスト低減を図る多極コネクタ装置を提供することを目的に提案されたものである。
【課題を解決するための手段】
【０００８】
上述した目的を達成する本発明にかかる多極コネクタ装置は、嵌合口に臨んで多数個の雌型接続子を配列して設けた雌型コネクタ体と、嵌合凸部に各雌型接続子にそれぞれ対応して多数個の雄型接続子を配列して設けた雄型コネクタ体とを備えて、雌型コネクタ体と雄型コネクタ体とが、嵌合口に嵌合凸部を嵌合することによって各雌型接続子と相対する各雄型接続子とがそれぞれ接続されるようにする。多極コネクタ装置は、雌型コネクタ体の各雌型接続子が、嵌合口を少なくとも３つに区割りした嵌合ブロック部に配列して設けられるとともに、隣り合う嵌合ブロック部毎に雄型接続子との接続位置を嵌合口に対する嵌合凸部の嵌合方向に対して異にして形成される。
【０００９】
以上のように構成された多極コネクタ装置においては、各嵌合ブロック部毎に雌型接続子と雄型接続子との接続位置が嵌合方向に対して異にされることによって、雌型コネクタ体の嵌合口内に対して雄型コネクタ体の嵌合凸部を嵌合する際に各嵌合ブロック部毎に雌型接続子と雄型接続子とが異なる位置で突き当たって雌型接続子が弾性変形することによる雄型コネクタ体への反力が分散されるようになる。多極コネクタ装置においては、雌型コネクタ体に対して雄型コネクタ体が、こじ入れ等の操作を不要として所定の位置まで嵌合されて雌型接続子と雄型接続子とが確実に接続される。
【００１０】
また、多極コネクタ装置は、嵌合ブロック部が、横方向に隣り合って区割りされた第１嵌合ブロック部乃至第３嵌合ブロック部とから構成される。多極コネクタ装置は、嵌合口に対する嵌合凸部の嵌合方向に対して、両側の第１嵌合ブロック部内に配列した第１雌型接続子と第３嵌合ブロック部内に配列した第３雌型接続子とが相対する雄型接続子と互いに略同一位置でそれぞれ接続されるとともに、中央の第２嵌合ブロック部内に配列した第２雌型接続子が相対する雄型接続子と異なる位置で接続される。多極コネクタ装置においては、例えば最初に中央部で第２嵌合ブロック部内の第２雌型接続子と相対する雄型接続子との接続が行われ、この接続部位をガイドとして両側の第１嵌合ブロック部内の第１雌型接続子と第３嵌合ブロック部内の第３雌型接続子とが行われるようになる。
【００１１】
さらに、多極コネクタ装置は、第１嵌合ブロック部乃至第３嵌合ブロック部が嵌合口内において互いに隔壁によって区割りされるとともに、雄型コネクタ体が嵌合凸部を各隔壁がそれぞれ嵌合する切欠き溝によって第１嵌合ブロック凸部乃至前記第３嵌合ブロック凸部に区割りされる。多極コネクタ装置においては、相対嵌合する隔壁と隔壁溝とをガイドとして各嵌合ブロック部に対して嵌合ブロック凸部の嵌合動作が行われる。
【００１２】
さらに、多極コネクタ装置は、各雌型接続子が、それぞれ弾性金属片によって形成され嵌合口内に互いに平行に対峙して片持ち状態で配列されるとともに、相対する位置に互いに向かい合う接点凸部が一体に形成された一対の接続端子片によって構成される。また、多極コネクタ装置は、各雄型接続子が、嵌合凸部を構成する基板の表裏主面に、一対の接続端子片とそれぞれ相対して形成された導体パターンによって構成される。多極コネクタ装置においては、雌型コネクタ体の嵌合口内に対して雄型コネクタ体の嵌合凸部を嵌合することによって、各接続端子片が、嵌合口に嵌合された基板を挟み込んで保持するとともに相対する導体パターンと接続される。
【００１３】
さらに、多極コネクタ装置は、雌型コネクタ体の第１嵌合ブロック部と第３嵌合ブロック部に同一形状の各接続端子片が備えられるとともに、第２嵌合ブロック部に接点凸部の位置を異にして形成した各接続端子片が備えられる。多極コネクタ装置においては、雌型
コネクタ体の嵌合口に雄型コネクタ体の嵌合凸部を嵌合する際に、第１嵌合ブロック部及び第３嵌合ブロック部と第２嵌合ブロック部とで雌型接続子と雄型接続子とが異なる位置で接続されるようになる。
【００１４】
さらに、多極コネクタ装置は、雌型コネクタ体が、一側部に嵌合口が形成されたハウジングと、表裏主面に同一形状の前記接続端子片を組み付けてハウジングに取り付けられる第１端子ブロック体乃至第３端子ブロック体とを備える。多極コネクタ装置は、ハウジングに対して、両側の第１端子ブロック体及び第３端子ブロック体と中央部の第２端子ブロック体とが取付位置を異にされる。多極コネクタ装置においては、雌型コネクタ体の嵌合口に雄型コネクタ体の嵌合凸部を嵌合する際に、第１嵌合ブロック部及び第３嵌合ブロック部と第２嵌合ブロック部とで雌型接続子と雄型接続子とが異なる位置で接続されるようになる。
【発明の効果】
【００１５】
以上のように構成された本発明にかかる多極コネクタ装置によれば、嵌合口内において区割りした各嵌合ブロック部毎に雌型接続子と雄型接続子との接続位置が嵌合方向に対して異にされることから、雌型接続子が弾性変形することによる雄型コネクタ体への反力が分散されて雌型コネクタ体に対して雄型コネクタ体を小さな嵌合力によって嵌合させることが可能となる。したがって、多極コネクタ装置においては、雌型コネクタ体に対して雄型コネクタ体がこじ入れ等の操作を不要として所定の位置まで嵌合されて雌型接続子と雄型接続子とを確実に接続することが可能となり、雌型接続子の変形や折れ曲がりの発生を防止して各種信号の授受が確実に行われるようになる。また、多極コネクタ装置においては、２個取りの高価な端子形成金型を不要とすることによってコスト低減が図られるようになる。さらに、多極コネクタ装置によれば、ハウジングに対する雌型接続子の組み付ける作業や治具の簡易化も図られることでコスト低減が図られるようになる。
【発明を実施するための最良の形態】
【００１６】
以下、本発明の実施の形態として示す多極コネクタ装置１について図面を参照して詳細に説明する。多極コネクタ装置１は、図１に示すように、詳細を省略する記録媒体装置に用いられ、装置本体２に対してメモリ装置３を電気的かつ機械的に接続して内蔵させる。記録媒体装置は、装置本体２のフレーム４に制御部５ａ等を実装した回路基板５を設けるとともにこの回路基板４に雌型コネクタ体６を実装し、雌型コネクタ体６にメモリ装置３側に設けた雄型コネクタ体７が嵌合される。
【００１７】
多極コネクタ装置１は、詳細を後述するように軽微な嵌合力によって雌型コネクタ体６に対して雄型コネクタ体７を嵌合させることが可能であり、例えば実装機によってメモリ装置３を装置本体２に組み合わす自動組立化が図られるようにする。多極コネクタ装置１は、雌型コネクタ体６に対して雄型コネクタ体７を嵌合させることによって、装置本体２側の制御部５ａ等とメモリ装置３とを電気的かつ機械的に接続する。多極コネクタ装置１は、雌型コネクタ体６と雄型コネクタ体７とに相対して接続される詳細を後述する多数個の接続端子が設けられており、装置本体２とメモリ装置３との間で電源の供給、各種制御信号の授受或いはデータ信号の授受等が行われるようにする。
【００１８】
雌型コネクタ体６は、絶縁特性や機械的剛性を有する合成樹脂材によって成形されたハウジング８と端子ブロック体９とを備えており、一方側面部に後述するように雄型コネクタ体７を嵌合させる嵌合口１０が形成されている。雌型コネクタ体６は、他方側面部に形成された開口部１１に後述する接続端子片１３、１４の基端部１３ｂ、１４ｂを突出させて取付部１２を介して回路基板５との接続が行われる。なお、雌型コネクタ体６は、各接続端子片１３、１４の基端部１３ｂ、１４ｂを下方へと折曲して端子ブロック体９の底面から突出させて、回路基板５に形成した端子孔と嵌合させるとともに半田付けを施して実
装するようにしてもよい。
【００１９】
雌型コネクタ体６は、図２乃至図４に示すように、全体略角筒状を呈するハウジング８の内部に端子ブロック体９が組み合わされるとともに、この端子ブロック体９に雌型接続子を構成する上下一対をなす多数組の接続端子片１３、１４が組み付けられている。雌型コネクタ体６は、端子ブロック体９に組み付けられた各接続端子片１３、１４が、それぞれの先端部１３ａ、１４ａをハウジング８の一方側面に形成した嵌合口１０に臨ませて配列されるとともに、上述したように基端部１３ｂ、１４ｂをハウジング８の他方側面に形成した開口部１１に臨ませて配列されている。
【００２０】
端子ブロック体９は、図２に示すように同一形状に形成された第１端子ブロック体９ａ乃至第３端子ブロック体９ｃ（以下の説明において、個別に説明する場合を除いて端子ブロック体９と総称する。）の３個の端子ブロック体からなる。各端子ブロック体９は、矩形のブロック体を呈する基部の一方側面に長さ方向に離間して互いに平行に対峙する第１隔壁１５ａと第２隔壁１５ｂ（以下、の説明において、個別に説明する場合を除いて隔壁１５と総称する。）とが直交して一体に突設されるとともに、上下主面に幅方向に貫通して多数個の端子組付溝１６、１７が形成されている。
【００２１】
各端子ブロック体９は、ハウジング８に対してそれぞれ隔壁１５を形成した側面を嵌合口１０側に向けて組み付けられる。端子ブロック体９は、ハウジング８に対して、図２乃至図４に示すように第１端子ブロック体９ａと第３端子ブロック体９ｃとが雄型コネクタ体７の嵌合方向に対して互いに同一位置となるようにして組み付けられるとともに第２端子ブロック体９ｂが嵌合方向に対してやや前方側に位置するようにして組み付けられる。
【００２２】
各端子ブロック体９は、それぞれの隔壁１５が、端子ブロック体９がハウジング８に組み付けられた状態において図２に示すようにそれぞれの先端縁が嵌合口１０の開口縁と略同一面を構成する長さを有して形成されている。各端子ブロック体９は、隣り合う隔壁１５が重なるようにしてハウジング８に組み付けられることによりは、ハウジング８の嵌合口１０を長さ方向に対して、第１嵌合ブロック口１０ａ乃至第３嵌合ブロック口１０ｃとの３つの領域に区割りする。
【００２３】
各端子組付溝１６、１７は、基部に形成した隔壁１５によって区割りされた各領域の上下主面に、それぞれ対をなして多数組が形成されている。各端子組付溝１６、１７は、それぞれが互いに平行でかつ所定のピッチを以って形成されている。各端子組付溝１６、１７は、それぞれの溝幅が接続端子片１３、１４の幅とほぼ同等若しくはやや小さく形成されることによって、接続端子片１３、１４を圧入して組み付ける。
【００２４】
接続端子片１３、１４は、弾性を有する金属材によってそれぞれ短冊状に形成され、上述したように基端部１３ｂ、１４ｂを開口部１１側にやや突出させるとともに先端部１３ａ、１４ａを嵌合口１０に臨ませて各端子ブロック体９に片持ち状態で組み付けられている。各接続端子片１３、１４は、嵌合口１０が上述したように第１端子ブロック体９ａ乃至第３端子ブロック体９ｃのそれぞれの隔壁１５によって第１嵌合ブロック口１０ａ乃至第３嵌合ブロック口１０ｃに区割りされていることで、これら第１嵌合ブロック口１０ａ乃至第３嵌合ブロック口１０ｃ内でそれぞれが上下対をなす複数組が長さ方向に配列されて第１雌型接続子１７乃至第３雌型接続子１９を構成する。
【００２５】
接続端子片１３、１４には、先端部１３ａ、１４ａの近傍に位置してそれぞれ接点凸部１３ｃ、１４ｃが一体に形成されている。接続端子片１３、１４は、図３及び図４に示すように各接点凸部１３ｃ、１４ｃを互いに向き合う円弧状の湾曲凸部によって構成する。接続端子片１３、１４は、各接点凸部１３ｃ、１４ｃが所定の間隔を以って対向するよう
に各端子ブロック体９に組み付けられる。なお、接続端子片１３、１４は、各接点凸部１３ｃ、１４ｃを、例えば互いに向き合う略へ字状に折曲して形成するようにしてもよい。また、接続端子片１３、１４は、各接点凸部１３ｃ、１４ｃを、かしめ付けした接点子によって構成するようにしてもよい。
【００２６】
接続端子片１３、１４は、第１端子ブロック体９ａに取り付けられて第１雌型接続子１７を構成する接続端子片群及び第３端子ブロック体９ｃに取り付けられて第３雌型接続子１９を構成する接続端子片群とが、ハウジング８に対して第１端子ブロック体９ａと第３端子ブロック体９ｃとを同一位置に組み付けることによって、図３に示すようにそれぞれの接点凸部１３ｃ、１４ｃを先端部１３ａ、１４ａから間隔ａの位置に形成している。また、接続端子片１３、１４は、第２端子ブロック体９ｂに取り付けられて第２雌型接続子１８を構成する接続端子片群が、ハウジング８に対して第２端子ブロック体９ｂを第１端子ブロック体９ａ及び第３端子ブロック体９ｃと異なる位置に組み付けることによって、図４に示すようにそれぞれの接点凸部１３ｃ、１４ｃを先端部１３ａ、１４ａから上述した間隔ａよりも小さい間隔ｂの位置に形成している。
【００２７】
雌型コネクタ体６は、上述したように嵌合口１０を第１嵌合ブロック口１０ａ乃至第３嵌合ブロック口１０ｃに区割りするとともに、端子ブロック体９に対して上下一対で複数組の接続端子片１３、１４をそれぞれ配列して第１雌型接続子１７乃至第３雌型接続子１９を設けている。雌型コネクタ体６は、隣り合う第１嵌合ブロック口１０ａと第２嵌合ブロック口１０ｂとに対応して配列された第１雌型接続子１７と第２雌型接続子１８及び第２嵌合ブロック口１０ｂと第３嵌合ブロック口１０ｃとに対応して配列された第２雌型接続子１８と第３雌型接続子１９とが、それぞれの接点凸部１３ｃ、１４ｃを後述する雄型コネクタ体７の嵌合方向に対して位置を異にして形成した複数組の接続端子片１３、１４によって構成している。
【００２８】
以上のように構成された雌型コネクタ体６には、ハウジング８の嵌合口１０に対して嵌合凸部２１が嵌合されて雄型コネクタ体７が接続される。雄型コネクタ体７は、図１に示すように詳細を省略するメモリ装置３のフレームに嵌合凸部２１を突出させて組み付けられている。雄型コネクタ体７は、嵌合凸部２１を嵌合口１０の開口長とほぼ等しい幅を有する回路基板によって構成し、この回路基板の表裏主面に雌型コネクタ体６側の接続端子片１３、１４とそれぞれ対応して雄型接続子を構成する多数個の導体パターン２２、２３が形成されている。なお、雄型コネクタ体７は、嵌合凸部２１を回路基板によって構成したが、例えばフレームと一体に嵌合凸部を形成し、この嵌合凸部に導体パターン２２、２３を形成した回路基板を固定するようにしてもよい。
【００２９】
雄型コネクタ体７は、嵌合凸部２１を構成する回路基板が、接続端子片１３、１４に形成した接点凸部１３ｃ、１４ｃの対向間隔よりもやや大きな厚みを有している。雄型コネクタ体７は、回路基板に先端縁に開口して嵌合方向の第１切欠き溝２４ａと第２切欠き溝２４ｂ（以下の説明において、個別に説明する場合を除いて切欠き溝２４と総称する。）とを形成することによって、この回路基板からなる嵌合凸部２１を幅方向に対して第１嵌合ブロック凸部２１ａ乃至第３嵌合ブロック凸部２１ｃの３つの領域に区割りしている。
【００３０】
雄型コネクタ体７は、切欠き溝２４を、雌型コネクタ体６側の隔壁１５にそれぞれ対応して形成するとともに、隔壁１５の厚みとほぼ等しい溝幅と隔壁１５の長さよりもやや大きな長さに形成している。雄型コネクタ体７は、切欠き溝２４によって区割りされた第１嵌合ブロック凸部２１ａ乃至第３嵌合ブロック凸部２１ｃが、雌型コネクタ体６側の第１嵌合ブック口１０ａ乃至第３嵌合ブロック口１０ｃに対してそれぞれ相対嵌合する。
【００３１】
雄型コネクタ体７は、導体パターン２２、２３が、表裏主面で対をなす多数組の導体パ
ターンによって構成する。各導体パターン２２、２３は、それぞれ各接続端子片１３、１４と同一ピッチを以って回路基板の先端部に延在するようにして形成される。各導体パターン２２、２３は、第１嵌合ブロック凸部２１ａ乃至第３嵌合ブロック凸部２１ｃに、雌型コネクタ体６側の第１雌型接続子１７乃至第３雌型接続子１９とそれぞれ対応して表裏主面で対をなす多数組の雄型接続子を構成する。
【００３２】
以上のように構成された雄型コネクタ体７は、嵌合凸部２１を雌型コネクタ体６の嵌合口１０に嵌合させて押し込まれることにより、嵌合凸部２１が各接続端子片１３、１４を上下に押し広げて嵌合される。雄型コネクタ体７は、図３及び図４に示すように嵌合凸部２１が厚み方向に弾性変位する接続端子片１３、１４の弾性力によって挟み込まれることによって、雌型コネクタ体６の嵌合口１０に嵌合した状態で機械的に保持される。雄型コネクタ体７は、導体パターン２２、２３に対して相対する接続端子片１３、１４がそれぞれの接点凸部１３ｃ、１４ｃを圧接させて電気的接続が行われる。
【００３３】
多極コネクタ装置１においては、雌型コネクタ体６に対して雄型コネクタ体７が嵌合口１０に嵌合凸部２１を嵌合することによって、雌型コネクタ体６側の切欠き溝２４に雄型コネクタ体７側の隔壁１５ｂが相対係合する。多極コネクタ装置１においては、これによって雌型コネクタ体６に対して雄型コネクタ体７が横ブレを生じることなくスムーズに嵌合されて接続端子片１３、１４と相対する導体パターン２２、２３とが正確に位置合わせされるようになる。多極コネクタ装置１においては、雄型コネクタ体７の横ブレの発生が規制されることにより、接続端子片１３、１４の折れ曲がりや破損が防止される。
【００３４】
多極コネクタ装置１においては、雌型コネクタ体６に対して雄型コネクタ体７が嵌合口１０に嵌合凸部２１を嵌合することによって、接続端子片１３、１４の弾性力が嵌合操作の反力として作用される。多極コネクタ装置１においては、上述したように雌型コネクタ体６に設けた多数個の接続端子片１３、１４の接続凸部１３ｃ、１４ｃが、中央部の第２嵌合ブロック口１０ｂの第２雌型接続子１８に対して左右の第１嵌合ブック口１０ａ及び第３嵌合ブロック口１０ｃの第１雌型接続子１７及び第３雌型接続子１９に対して、嵌合方向の後方側に位置して形成されている。
【００３５】
多極コネクタ装置１においては、雌型コネクタ体６に対して雄型コネクタ体７が嵌合口１０に嵌合凸部２１を嵌合することにより、最初に中央部において第２嵌合ブロック口１０ｂ内に配列された第２雌型接続子１８のそれぞれの接続凸部１３ｃ、１４ｃが相対する第２嵌合ブロック凸部２１ｂの雄型接続子と圧接する。多極コネクタ装置１においては、雌型コネクタ体６に対して雄型コネクタ体７をさらに押し込むことによって、左右位置において、第１嵌合ブック口１０ａ内及び第３嵌合ブロック口１０ｃ内に配列された第１雌型接続子１７及び第３雌型接続子１９が相対する第１嵌合ブロック凸部２１ａと第３嵌合ブロック凸部２１ｃの雄型接続子と圧接する。
【００３６】
多極コネクタ装置１においては、上述したように雌型コネクタ体６において接続端子片１３、１４の接続凸部１３ｃ、１４ｃが第１嵌合ブック口１０ａ乃至第３嵌合ブロック口１０ｃ内で雄型コネクタ体７の嵌合方向に対して異なる位置に形成したことにより、接続端子片１３、１４の弾性力による反力の分散化が図られる。多極コネクタ装置１においては、多数個の接続端子片１３、１４を備えているが、雌型コネクタ体６に対して雄型コネクタ体７を比較的小さな操作力で嵌合させることを可能とする。多極コネクタ装置１においては、雌型コネクタ体６に対して雄型コネクタ体７を無理にこじ入れるようにして嵌合することもなく、所定の位置まで嵌合することによって相対する接続端子片１３、１４と導体パターン２２、２３とが確実に接続されるようになる。
【００３７】
また、多極コネクタ装置１においては、上述したように最初に中央部の第２嵌合ブック
口１０ｂと第２嵌合ブロック凸部２１ｂとにおいて第２雌型接続子１８のそれぞれの接続凸部１３ｃ、１４ｃが相対する雄型接続子と圧接するようにしたことから、より小さな操作力で雌型コネクタ体６に対する雄型コネクタ体７の嵌合操作が行われるようになる。さらに、多極コネクタ装置１においては、中央部での接続動作をガイドとして両側部位での接続が行われるようになることで、雌型コネクタ体６と雄型コネクタ体７との位置合わせも確実に行われるようになる。
【００３８】
多極コネクタ装置１においては、装置本体２に対してメモリ装置３が実装機によって組み合わすようにするが、上述したように雌型コネクタ体６と雄型コネクタ体７とが比較的小さな嵌合力によって正確に嵌合されることで実装効率の向上によるコスト低減が図られる。多極コネクタ装置１においては、雌型コネクタ体６の端子ブロック体９や接続端子片１３、１４がそれぞれ同一形状に形成されることにより、金型の共通化によるコスト低減が図られる。
【００３９】
なお、上述した実施の形態においては、記録媒体装置に用いられて装置本体２とメモリ装置３とを電気的かつ機械的に接続する多極コネクタ装置１を示したが、本発明はかかる多極コネクタ装置１に限定されるものでは無いことは勿論である。多極コネクタ装置１においては、雌型コネクタ体６の嵌合口１０が端子ブロック体９の第１隔壁１５ａと第２隔壁１５ｂとによって３つの嵌合ブロック口に区割りされたが、さらに多数に区割りされるようにしてもよい。
【００４０】
実施の形態においては、装置本体２側に雌型コネクタ体６を設けるとともにメモリ装置３側に雄型コネクタ体７を設けたが、これらを入れ替えて設けるようにしてよいことは勿論である。実施の形態においては、第１雌型接続子１８と第３雌型接続子２０について接続端子片１３、１４の接続凸部１３ｃ、１４ｃを嵌合方向に対して同一位置に形成するようにしたがもさらにこれらの位置を異にして形成するようにしてもよい。
【００４１】
図５に第２の実施の形態として示した雌型コネクタ体３０は、基本的な構成を上述した雌型コネクタ体６と同様とすることから、対応する各部には同一符号を付すことによって説明を省略する。雌型コネクタ体３０は、例えば矩形のブロック体を呈する端子ブロック体３１が一体に形成され、隔壁３２ａ、３２ｂによって長さ方向に３つの領域に区分して第１端子ブロック領域３１ａ乃至第３端子ブロック領域３１ｃに区割りされている。
【００４２】
雌型コネクタ体３０においては、第１端子ブロック領域３１ａ乃至第３端子ブロック領域３１ｃの上下主面（上面側のみを図示する）に上下対をなして多数組の端子組付溝３３がそれぞれ形成されている。雌型コネクタ体３０においては、第１端子ブロック領域３１ａ及び第３端子ブロック領域３１ｃの端子組付溝３３内に上下一対をなすようにして接続端子片３４が組み付けられるとともに、第２端子ブロック領域３１ｂの端子組付溝３３内に上下一対をなすようにして接続端子片３５が組み付けられる。
【００４３】
各接続端子片３４、３５も、弾性を有する金属材によってそれぞれ短冊状に形成され、基端部３４ｂ、３５ｂをハウジング８の開口部１１側にやや突出させるとともに先端部３４ａ、３５ａを嵌合口１０に臨ませて端子ブロック体３１に片持ち状態で組み付けられている。各接続端子片３４、３５にも、先端部３４ａの近傍に位置してそれぞれ接点凸部３４ｃ、３５ｃが一体に形成され、これら各接点凸部３４ｃ、３５ｃを互いに向き合う円弧状の湾曲凸部によって構成する。
【００４４】
雌型コネクタ体３０は、上述したように端子ブロック体３１が隔壁３２ａ、３２ｂによって第１端子ブロック領域３１ａ乃至第３端子ブロック領域３１ｃに区割りされていることで、各接続端子片３４、３５がこれら第１端子ブロック領域３１ａ乃至第３端子ブロッ
ク領域３１ｃにおいてそれぞれが上下対をなす複数組が長さ方向に配列されて第１雌型接続子３６乃至第３雌型接続子３８を構成する。雌型コネクタ体３０は、第１端子ブロック領域３１ａ及び第３端子ブロック領域３１ｃとに設けられる接続端子片３４が、第１雌型接続子３６及び第３雌型接続子３８を構成する。雌型コネクタ体３０は、第１雌型接続子３６と第３雌型接続子３８とが、それぞれの接点凸部３４ｃを互いに先端部３４ａから等距離に位置させている。
【００４５】
また、雌型コネクタ体３０は、第２端子ブロック領域３１ｂに設けられる各接続端子片３５が、第２雌型接続子３７を構成する。雌型コネクタ体３０は、第２雌型接続子３７を構成する各接続端子片３５が、それぞれの接点凸部３５ｃを上述した第１雌型接続子３６と第３雌型接続子３８の接点凸部３４ｃに対して、雄型コネクタ体７の嵌合方向の前方側に位置するようにして折曲形成している。
【００４６】
雌型コネクタ体３０は、上述した構造により、ハウジング８の嵌合口１１から雌型コネクタ体６の嵌合凸部２１が嵌合されると、最初に中央部において第２雌型接続子３７の接続凸部３５ｃが相対する第２嵌合ブロック凸部２１ｂの雄型接続子と圧接する。雌型コネクタ体３０においては、雄型コネクタ体７をさらに押し込むことによって、左右位置において第１雌型接続子３６と第３雌型接続子３８の接点凸部３４ｃが第１嵌合ブロック凸部２１ａと第３嵌合ブロック凸部２１ｃの雄型接続子と圧接する。
【００４７】
雌型コネクタ体３０においては、多数個の接続端子片３４、３５と雄型コネクタ体７の嵌合凸部２１との突き当たり位置を嵌合方向に対して異なるように構成したことにより、雄型コネクタ体７に対する接続端子片３４、３５の弾性力による反力の分散化が図られるようになる。したがって、雌型コネクタ体３０においては、上述した雌型コネクタ体６と同様に雄型コネクタ体７を比較的小さな操作力で嵌合させることを可能とする。
【図面の簡単な説明】
【００４８】
【図１】雌型コネクタ体を搭載した電子機器と雄型コネクタ体を搭載した機能ブロックとの要部分解斜視図である。
【図２】雌型コネクタ体と雄型コネクタ体とを接続した状態の要部水平断面図である。
【図３】雌型コネクタ体の第１嵌合ブロック口又は第３嵌合ブロック口と雄型コネクタ体の第１嵌合ブロック凸部又は第３嵌合ブロック凸部の嵌合状態の要部縦断面図である。
【図４】雌型コネクタ体の第２嵌合ブロック口と雄型コネクタ体の第２嵌合ブロック凸部の嵌合状態の要部縦断面図である。
【図５】第２の実施の形態として示す雌型コネクタ体と雄型コネクタ体とを接続した状態の要部水平断面図である。
【符号の説明】
【００４９】
１      多極コネクタ装置
２      装置本体
３      メモリ装置
６      雌型コネクタ体
７      雄型コネクタ体
８      ハウジング
９      端子ブロック体
１０    嵌合口
１０ａ  第１嵌合ブロック口
１０ｂ  第２嵌合ブロック口
１０ｃ  第３嵌合ブロック口
１１    開口部
１３    接続端子片
１３ｃ  接続凸部
１４    接続端子片
１４ｃ  接続凸部
１５    隔壁
１８    第１雌型接続子
１９    第２雌型接続子
２０    第３雌型接続子
２１    嵌合凸部
２１ａ  第１嵌合ブロック凸部
２１ｂ  第２嵌合ブロック凸部
２１ｃ  第３嵌合ブロック凸部
２２    導体パターン
２３    導体パターン
２４    切欠き溝
３０    雌型コネクタ体
３１    端子ブロック体
【図１】
2005293972.tif 000003
【図２】
2005293972.tif 000004
【図３】
2005293972.tif 000005
【図４】
2005293972.tif 000006
【図５】
2005293972.tif 000007